(57)【要約】　　　（修正有）【課題】座ったままで全身を洗うことができ、家庭用浴室で使用できるような小型の浴室用椅子を提供する。【解決手段】この発明にかかる浴室用椅子１は、座部２と脚部３とからなり、前記座部２を座枠６の内側にネット４を張設することにより形成されている。前記座部２と脚部３は一体に成型されていてもよいし、別途成形し着脱自在に組み合わせてもよい。前記ネットは、わずかに弛みを持たせて張設することが好ましく、編み材の幅寸法は１０ｍｍ以下、編み目の大きさが１０ｍｍ以下とし、好ましくは、編み材の幅寸法は１〜３ｍｍ、編み目の大きさは２〜５ｍｍとする。また、前記座部２に被せられる座部用蓋を備えている構成とすることができる。前記座部用蓋の上面には、１または複数の透孔を設けてもよいし、複数の突起を設けてもよい。【選択図】　　　図１
2004008636.tif 000002
【特許請求の範囲】
【請求項１】
一体に成型された座部と脚部とからなり、前記座部は座枠の内側にネットを張設することにより形成したことを特徴とする浴室用椅子。
【請求項２】
ネットは　、わずかに弛みを持たせて張設したことを特徴とする請求項１に記載の浴室用椅子。
【請求項３】
ネットは、編み材の幅寸法が１０ｍｍ以下であって、編み目の大きさが１０ｍｍ以下とし、好ましくは、編み材の幅寸法は１〜３ｍｍ、編み目の大きさは２〜５ｍｍとすることを特徴とする請求項１または２に記載の浴室用椅子。
【請求項４】
別途成型された座部と脚部とからなり、前記座部は、座枠の内側にネットを張設することにより形成され、脚部に着脱自在に組み立ててなることを特徴とする浴室用椅子。
【請求項５】
ネットは、わずかに弛みを持たせて張設したことを特徴とする請求項４に記載の浴室用椅子。
【請求項６】
ネットは、編み材の幅寸法が１０ｍｍ以下であって、編み目の大きさが１０ｍｍ以下とし、好ましくは、編み材の幅寸法は１〜３ｍｍ、編み目の大きさは２〜５ｍｍとすることを特徴とする請求項４または５に記載の浴室用椅子。
【請求項７】
脚部は、合成樹脂製の円筒体であって、下端部に切欠を設けたことを特徴とする請求項４〜６のいずれか１項に記載の浴室用椅子。
【請求項８】
脚部は、金属製パイプまたは金属製バーを用いて形成されていることを特徴とする請求項４〜６のいずれか１項に記載の浴室用椅子。
【請求項９】
座部と脚部とからなる浴室用椅子であって、前記座部は座枠の内側にネットを張設することにより形成されており、前記座部に被せられる座部用蓋を備えていることを特徴とする浴室用椅子。
【請求項１０】
座部と脚部は一体に成型されていることを特徴とする請求項９に記載の浴室用椅子。
【請求項１１】
座部と脚部は別途成形され、着脱自在に組み立てられていることを特徴とする請求項９に記載の浴室用椅子。
【請求項１２】
ネットは、わずかに弛みを持たせて張設したことを特徴とする請求項９〜１１のいずれか１項に記載の浴室用椅子。
【請求項１３】
ネットは、編み材の幅寸法が１０ｍｍ以下であって、編み目の大きさが１０ｍｍ以下とし、好ましくは、編み材の幅寸法は１〜３ｍｍ、編み目の大きさは２〜５ｍｍとすることを特徴とする請求項９〜１２のいずれか１項に記載の浴室用椅子。
【請求項１４】
ネットは、わずかに弛みを持たせて張設し、座部用蓋の上面には、１または複数の透孔が設けられていることを特徴とする請求項９〜１１のいずれか１項に記載の浴室用椅子。
【請求項１５】
ネットは、わずかに弛みを持たせて張設し、座部用蓋の上面には、複数の突起が設けられていることを特徴とする請求項９〜１１のいずれか１項に記載の浴室用椅子。
【請求項１６】
ネットは、編み材の幅寸法が１０ｍｍ以下であって、編み目の大きさが１０ｍｍ以下とし、好ましくは、編み材の幅寸法は１〜３ｍｍ、編み目の大きさは２〜５ｍｍとし、座部用蓋の上面には、１または複数の透孔が設けられていることを特徴とする請求項９〜１１のいずれか１項に記載の浴室用椅子。
【請求項１７】
ネットは、編み材の幅寸法が１０ｍｍ以下であって、編み目の大きさが１０ｍｍ以下とし、好ましくは、編み材の幅寸法は１〜３ｍｍ、編み目の大きさは２〜５ｍｍとし、座部用蓋の上面には、複数の突起が設けられていることを特徴とする請求項９〜１１のいずれか１項に記載の浴室用椅子。
【発明の詳細な説明】
【０００１】
【発明の属する技術分野】
この発明は、浴室用椅子に係り、特に、老人や病気療養中の人など介護を必要とする人が入浴する際に用いる浴室用椅子に関する。
【０００２】
【従来の技術】
従来、浴室用椅子には種々のタイプの椅子がある。浴室用椅子には、健常者用椅子は勿論、身体障害者や寝たきり老人等の要介護者用椅子が存在する。これらの要介護者用椅子には、座ったままクレーン等で吊り下げて椅子ごと浴槽に入れて入浴させるようにしたものや、浴室内で使用できるようにした車椅子などがある。
【０００３】
寝たきり老人を入浴させる際に用いる入浴用車椅子には、例えば、特開平８−１１７３０４号に記載のものがある。この入浴用車椅子は、寝たきり老人を寝かせた状態で浴槽を跨ぐように車椅子を移動させ、その後横臥部を下降させて浴槽に浸すことによって入浴させようとするものである。このように、従来の浴室用椅子は、寝たきり老人用として提供されているもので、一般の狭い家庭用浴室では使用することができない。従来使用されている椅子には、広い専用の浴室が必要である。
【０００４】
【発明が解決しようとする課題】
寝たきり老人のように、ほとんど身体を自由にすることができない人ばかりでなく、在宅介護では、足腰は弱っているものの自力歩行は何とかできるという要介護者も多い。しかしながら、これらの人は、食事などは自分でできるものの、立ったり座ったりすることは大変なことであり、浴室内は特に滑りやすく一人で入浴することは危険である。
【０００５】
そこで、これらの人は、入浴する際には介護を必要とする。そして、浴室で椅子に座ったまま、介護者に全身を洗ってもらうことができれば危険がないと共に、介護者にとっても安心して入浴させることができる。従来の椅子は、すべて寝たきり老人のように体の不自由な人のための椅子であったり、自分で座ることができるが、入浴する際には安全のために介護者を必要とする人のように、若干の介護を必要とする人のための浴室用椅子で座ったままで全身を洗うことができるものは存在しなかった。
【０００６】
この発明は、かかる現況に鑑みてなされたもので、家庭用浴室で使用できるとともに、座ったままで全身を洗うことができる浴室用椅子を提供するものである。また、健常者や子供でも兼用することができる浴室用椅子を提供するものである。
【０００７】
【課題を解決するための手段】
この発明は上記目的を達成するために次のような構成とした。即ち、この発明に係る浴室用椅子は、一体に成型された座部と脚部とからなり、前記座部は座枠の内側にネットを張設することにより形成したことを特徴とする。前記ネットは、わずかに弛みを持たせて張設することが好ましい。わずかに弛みを持たせることにより、ネットが体に馴染むと共に、洗うときにずれるので洗いやすくなる。また、ネットは、編み材の幅寸法が１０ｍｍ以下であって、編み目の大きさが１０ｍｍ以下とし、好ましくは、編み材の幅寸法は１〜３ｍｍ、編み目の大きさは２〜５ｍｍとする。
座部と脚部とを別途成型し、前記座部は、座枠の内側にネットを張設することにより形成し、脚部に着脱自在に組み立てる構成としてもよい。この構成においても、ネットは、わずかに弛みを持たせて張設することが好ましく、編み材の幅寸法を１０ｍｍ以下、編み目の大きさが１０ｍｍ以下とし、好ましくは、編み材の幅寸法は１〜３ｍｍ、編み目の大きさは２〜５ｍｍとする。前記別途成型した脚部は、合成樹脂製の円筒体の下端部に切欠を設けてもよいし、金属製パイプまたは金属製バーを用いて形成したものであってもよい。
【０００８】
また、浴室用椅子は、座部と脚部とからなり、前記座部を座枠の内側にネットを張設することにより形成し、前記座部に被せられる座部用蓋を備えている構成とすることができる。前記座部と脚部は一体に成型されていてもよいし、別途成形し着脱自在に組み立ててもよい。前記ネットは、わずかに弛みを持たせて張設することが好ましく、編み材の幅寸法が１０ｍｍ以下、編み目の大きさが１０ｍｍ以下とし、好ましくは、編み材の幅寸法は１〜３ｍｍ、編み目の大きさは２〜５ｍｍとする。前記座部用蓋の上面には、１または複数の透孔を設けてもよいし、複数の突起を設けてもよい。
【０００９】
【発明の実施の形態】
以下に、図示する実施形態について詳細に説明する。図１は、この発明に係る浴室用椅子の基本的形態を示す斜視図であって、浴室用椅子１は、座部２と筒状脚部３とかなり、前記座部２と脚部３は一体に形成されており、座部２の上面には一定の座枠６の内側にネット４が張設されている。座部２の大きさは、特に限定されるものではないが、お尻全体が安定した状態で載る大きさであることが好ましい。また、脚部３の高さは、任意に決定することができるが、座部２の上面までの高さを２５〜５５ｃｍ、好ましくは、３５〜４５ｃｍとする。
【００１０】
この発明に係る浴室用椅子は、入浴者が座ったままの状態で介護者によって全身を洗えるようにしたものであって、前記ネット４の編目の大きさは、座った状態でネットの下側（椅子の内側）からお尻を洗える大きさであることが必要である。従って、通常の布や、編み目の細かいネットは使用することができない。この発明で使用できるネットは、編み材の幅寸法が１０ｍｍ以下であって、編み目の大きさが１０ｍｍ以下とし、好ましくは、編み材の幅寸法は１〜３ｍｍ、編み目の大きさは２〜５ｍｍとする。
【００１１】
また、ネット４は、ぴんと張った状態で張設してもよいが、少し弛みを持たせて座ったときにお尻に馴染んでやや包み込むように張設することが好ましい。このように少し弛みを持たせて張設した場合には、座ったまま下側（椅子の内側）から洗うときにネットも若干ずれるので万遍なく全体を洗うことができる。また、前記座部２にはネット４を張設してあるから座ったままお尻が洗えると共に、座ったままシャワーで石鹸を洗い流すことができる。ネット４は、上述のような構造であるから、水切りもよく入浴者に不快感を与えることもない。
【００１２】
前記脚部３は、お尻を洗うときに手が入るように、周面に適宜の大きさの切欠５が設けられている。前記切欠５は、脚部３の周面に２以上設けることが好ましく、手がネット４の中央部まで届く十分な大きさに形成することが好ましい。
【００１３】
図３は、この発明の第２実施形態を示す分解斜視図である。この実施形態に係る浴室用椅子１Ａは、座部２Ａと脚部３Ａとが別途成形され、前記座部２Ａ及び脚部３Ａは、合成樹脂製であって射出成形機によって射出成形される。座部２Ａを脚部３Ａに着脱自在に組み合わせて使用される。このように、座部と脚部とを別途形成し組み合わせて使用する構成とした場合には、次のような効果が得られる。
【００１４】
即ち、ネット４が破損した場合には、座部２Ａのみを取り換えることができる。また、座部２Ａは常に清潔にしておくことが必要であり、座部２Ａのみを取り外して洗浄し、乾燥させることができる。また、座部２Ａは、形状、大きさ、色等個人の好みにあったものを使用することができ、公衆浴場での貸し出し等に好適であるばかりでなく、持ち運びにも便利である。
【００１５】
前記座部２Ａは、座枠７にネット４を張設することによって形成されており、座枠７は下面内側が前記脚部３Ａの内面に嵌合するように構成されている。即ち、図４に示すように、座枠７は、脚部３Ａの上面に載置される載置部７Ａと脚部３Ａの内面に嵌合する嵌合部７Ｂとから形成されている。尚、前記ネット４は、編み材の幅寸法、形状、編み目の大きさ等のネットの構成は、上記第１実施形態と同じであるから、その説明は省略する。以下の実施形態においてもネットの構成は同一であるから同一符号を付してその説明は省略する。
【００１６】
前記ネット４は、座枠７の上面に張設されているが、座枠７の内側では座枠７の上面からわずかに下がった状態で窪んだように張設されている。前記ネット４は次のようにして座枠７に張設することができる。即ち、成型する金型の下金型または上金型のいずれか一方のキャビティ内に係止用ピンを立設しておき、前記ピンにネットを係止させて金型内に張設し、次いで、型締めを行った後、キャビティ内に溶融樹脂を充填し、枠体７の成型と同時にネット４を一体に溶着することにより張設することができる。
【００１７】
図５〜図９は、座部の他の実施形態を示すものである。従って、同一構成については同一符号を付してその説明は省略する。図５に示す座部２Ｂは、座枠７の内側に水平フランジ８を形成し、ネット４を前記フランジ８の下面に張設したものである。このように、ネット４を座枠７の上面に出ないように張設した場合には、きれいな外観となる。図６に示す座部２Ｃは、図４と同じ座枠７の上面にネット４を凹ませることなくほぼ水平に張設した場合を示す。
【００１８】
図７に示す座部２Ｄは、図４に示す枠体７において、嵌合部７Ｂの径を小さく形成し、脚部３Ａとの間に生じる隙間を調節するリブ９を設けたものである。このように、リブ９を設けた場合には、リブ９の大きさを変更することによって体型や体の大きさに応じたネット４とすることができる。
【００１９】
図８に示す座部２Ｅは、座枠７を断面略コ字状に形成し、下面に脚部３Ａの上端部を嵌合する溝１０を形成したものである。また、図９に示す座部２Ｆは、載置部７Ａの外側に下向きフランジ１１を形成したもので、座部２Ｆを蓋のように脚部３Ａに被せるようにしたものである。この実施形態のように、載置部７Ａの外側に下向きフランジ１１を形成した場合には、同じ脚部の大きさであってもネット４の面積を広くすることができる。
【００２０】
図１０〜図１３は、脚部の他の実施形態を示す。図１０に示す脚部１３は、上部環１４と、下部環１５とを支柱１６で連結した、いわゆるボールプランタースタンドタイプの脚部である。前記上部環１４，下部環１５及び支柱１６は、金属パイプまたは金属バーによって形成されている。下部環１５には、滑り止め部材１７が取り付けられている。前記滑り止め材１７は、パイプ状に形成した発泡ゴムを巻回することによって取り付けることができる。
【００２１】
また、図１１に示す脚部１８は、環１９に略コ字状に形成した支柱２０を固着したものであって、支柱２０の下端部には滑り止め材２１が取り付けられている。尚、前記脚部１８は、支柱２０をコ字状に形成することなく、独立した４本の支柱を環１９に直接固着する構成としてもよい。
【００２２】
図１２及び図１３に示す脚部２２は、脚部１３を折り畳み自在とした構造の脚部であって、上部環１４Ａと下部環１５Ａとを支柱２３で連結してなる。前記支柱２３は、図１３に示すように、上部支柱２３Ａと下部支柱２３Ｄとを長ネジナット２３Ｇによって連結されている。前記上部支柱２３Ａは、一端に上部環１４Ａを挿通可能な保持管２３Ｂを固着し、他端にはオスネジ２３Ｃが刻設してなり、一方、下部支柱２３Ｄは、一端に下部環１５Ａを挿通可能な保持管２３Ｅを固着し、他端にはオスネジ２３Ｆを刻設してなる。
【００２３】
前記下部支柱２３Ｄのオスネジ２３Ｆの近傍にストッパー２３Ｊが突設されている。また、前記長ネジナット２３Ｇは、内面のほぼ全長に亘って前記オスネジ２３Ｃ、２３Ｆに螺合するメスネジ２３Ｈを刻設することによって形成されている。さらに、下部環１５Ａの適宜の位置に保持管２３Ｅを位置決めする突起１５Ｂが設けられている。
【００２４】
脚部２２は、上記のように構成してなるから、長ネジナット２３Ｇを緩めてオスネジ２３Ｆとの螺合を解除すれば、上部支柱２３Ａと下部支柱２３Ｄとは分離されるから、保持管２３Ｅを位置決め突起１５Ｂから摺動させれば上部支柱２３Ａと下部支柱２３Ｄは回動可能となる。従って、上部支柱２３Ａと下部支柱２３Ｄをそれぞれ内側に水平に折り畳めば、上部環１４Ａと下部環１５Ａと重ね合わせることができる。
【００２５】
また、組み立てる場合は、上述の逆の順序で行えばよい。即ち、上部支柱２３Ａと下部支柱２３Ｄとを立てると共に、下部支柱２３Ｄを摺動させて位置決め突起１５Ｂに固定する。次いで、上部支柱２３Ａと下部支柱２３Ｄとを突き合わせて長ネジナット２３Ｇをオスネジ２３Ｃ、２３Ｆに螺合させ、ストッパー２３Ｊに当接させればよい。
【００２６】
上記構成の支柱２３において、上部支柱２３Ａと下部支柱２３Ｄとは、完全に分離するのを防止するために、ヒンジを介して連結するようにしてもよい。また、ストッパー２３Ｊを省略し、長ネジナット２３Ｇの螺合深さを確認するための目印線を上部支柱２３Ａまたは下部支柱２３Ｄに設ける構成としてもよい。
【００２７】
次に、図１４〜図２０は、上記図１及び図３に示す実施形態の浴室用椅子１，１Ａと組み合わせて使用する座部用蓋２５の実施形態を示す。図１４に示す座部用蓋２５Ａは、上面２６と周壁２７からなり、座部２〜２Ｅに被せることができる大きさに形成されている。図１５は、図３に示す組立式の浴室用椅子１Ａに被せた状態の要部断面図を示す。
【００２８】
図１６は、前記座部用蓋２５Ａの中央部に透孔３０を設け座部用蓋２５Ｂを示し、図１７は、前記座部用蓋２５Ａの上面に多数の小孔３１を設け座部用蓋２５Ｃを示す。前記座部用蓋２５Ｃは小孔３１に代えてリブを格子状に設ける構成としてもよい。また、図１８は、前記座部用蓋２５Ａの上面に多数の突起３２を設けた座部用蓋２５Ｄを示す。前記突起３２は、弾性を有するエラストマーにより形成することができる。上記座部用蓋２５〜２５Ｄは、いずれも座部２、２Ａに被せることによって通常の浴室用椅子として使用することができる。特に、座部用蓋２５Ｂ及び２５Ｃの場合には水はけがよく、座部用蓋２５Ｄの場合にはマッサージ効果が得られる。
【００２９】
図１９、２０は、周壁２７の端縁部を折り返して鍔３３を形成した座部用蓋２５Ｅを示す。このように、鍔３３を形成した場合には、洗い桶としても使用することができる。尚、鍔３３の形状は、図示する形態に限定されるものではない。
【００３０】
図２１は、座枠用カバー３５を示す。前記座枠用カバー３５は、平面略Ｃ字状であって外側端に係止片３５Ａを設けてなる。前記係止片３５Ａを前記座枠６、７の外側面に係止させて使用する。座枠用カバー３５を装着することによって座り心地をよくすると共に、座ったときの滑りを防止することができる。このために、前記座枠用カバー３５は、弾性を有するエラストマー樹脂で成形することが好ましい。この座枠用カバー３５は、金属製パイプや金属製バーで形成した座部に係止した場合にその効果が顕著である。
【００３１】
以上、この発明に係る浴室用椅子は、平面略円形状に形成した場合について説明したが、これに限定されるものではなく四角形、楕円形等の平面形状とすることができる。また、図３に示す浴室用椅子１Ａにおいて、脚部３Ａを他の実施形態の脚部１３，１８または２２に変更できるのは勿論、座部用蓋を含めて種々に組み合わせることが可能である。
【００３２】
【発明の効果】
この発明にかかる浴室用椅子によれば、座面をネットにより形成したから、弾性があって安定した状態で座ることができるばかりでなく、立つことなしに座ったままでも下側（椅子の内側）からお尻を洗うことができる。従って、入浴する際に安全のために若干の介護を必要とする人のための浴室用椅子としてきわめて有効である。また、座部と脚部とを組み合わせてなる組立式浴室用椅子の場合には、座部の大きさや形状、あるいはネットの張り具合等は使用者に応じて変更することができる。従って、家庭では各人が自分専用の座部を所有することができる。また、公衆浴場等大勢の人が使用する椅子では、座部のみを各人に貸し出し浴室で脚部に嵌合させて使用させることによって、座り心地がよく、しかも清潔であるから、気持ちのよい入浴を楽しむことができる。また、座部と脚部とを組み合わせてなる組立式浴室用椅子の場合には、ネットが破損した場合や汚れた場合には座部のみを取り換えればよく、また、座部を取り外せば容易に洗浄し乾燥させることができ、座部を常に清潔にしておくことができる。
【００３３】
さらに、座部用蓋を組み合わせることにより、通常の浴室用椅子としても使用することができると共に、座部用蓋の上面に小孔や突起を設けることにより、滑り防止と共にマッサージ効果が得られる。また、座部用蓋を洗い桶兼用とした場合には、狭い浴室内においても場所をとらず整理することができる。
【図面の簡単な説明】
【図１】この発明の第１実施形態の浴室用椅子を示す斜視図である。
【図２】同じく部分断面図である。
【図３】この発明の第２実施形態の浴室用椅子を示す分解斜視図である。
【図４】第２実施形態の座部と脚部とを組み合わせた状態の部分断面図である。
【図５】他の実施形態の座部を脚部に組み合わせた状態の部分断面図である。
【図６】第３実施形態の座部を脚部に組み合わせた状態の部分断面図である。
【図７】第４実施形態の座部を脚部に組み合わせた状態の部分断面図である。
【図８】第５実施形態の座部を脚部に組み合わせた状態の部分断面図である。
【図９】第６実施形態の座部を脚部に組み合わせた状態の部分断面図である。
【図１０】他の実施形態の脚部を示す斜視図である。
【図１１】第３実施形態の脚部を示す斜視図である。
【図１２】第４実施形態の折り畳み式脚部を示す斜視図である。
【図１３】第４実施形態の脚部の支柱を示す要部断面図である。
【図１４】座部用蓋を示す一部を切り欠いた斜視図である。
【図１５】第２実施形態の座部と脚部に図１４に示す座部用蓋を被せた状態の要部断面図である。
【図１６】他の実施形態の座部用蓋の一部を切り欠いた斜視図である。
【図１７】第３実施形態の座部用蓋の一部を切り欠いた斜視図である。
【図１８】第４実施形態の座部用蓋の一部を切り欠いた斜視図である。
【図１９】第５実施形態の座部用蓋を示す斜視図である。
【図２０】第５実施形態の座部用蓋の断面図である。
【図２１】座枠用カバーの斜視図である。
【符号の説明】
１、１Ａ：浴室用椅子
２、２Ａ、２Ｂ、２Ｃ、２Ｄ、２Ｅ：座部
３、３Ａ、１３、１８、２２：脚部
４：ネット
５：切欠
６、７：座枠
７Ａ：載置部
７Ｂ：嵌合部
８：水平フランジ
９：リブ
１０：溝
１１：下向きフランジ
１４、１４Ａ：上部環
１５、１５Ａ：下部環
１６：支柱
１７：滑り止め材
１９：環
２０：コ字状支柱
２３：支柱
２５、２５Ａ、２５Ｂ、２５Ｃ、２５Ｄ：座部用蓋
２６：上面
２７：側板
３０：透孔
３１：小孔
３２：突起
３３：鍔
３５：座枠用カバー
【図１】
2004008636.tif 000003
【図２】
2004008636.tif 000004
【図３】
2004008636.tif 000005
【図４】
2004008636.tif 000006
【図５】
2004008636.tif 000007
【図６】
2004008636.tif 000008
【図７】
2004008636.tif 000009
【図８】
2004008636.tif 000010
【図９】
2004008636.tif 000011
【図１０】
2004008636.tif 000012
【図１１】
2004008636.tif 000013
【図１２】
2004008636.tif 000014
【図１３】
2004008636.tif 000015
【図１４】
2004008636.tif 000016
【図１５】
2004008636.tif 000017
【図１６】
2004008636.tif 000018
【図１７】
2004008636.tif 000019
【図１８】
2004008636.tif 000020
【図１９】
2004008636.tif 000021
【図２０】
2004008636.tif 000022
【図２１】
2004008636.tif 000023